(57)【要約】【解決課題】クランプ構造体のオーバラップした帯部相互間の確実な結合構造を得ることである。【解決手段】帯横方向に間隔をおいて設けられた、２個のタブ状部材（１３ａ，１３ｂ）を備え、このタブ状部材が締め付け帯の縦方向に延びる軸線周りにオーバーラップする内側帯部分から曲げ上げられ、冷間変形され深絞りされた支持フック（１２）を備え、この支持フックがオーバーラップする内側帯部分から外側へ延び、オーバーラップする帯部分が前記タブ状部材（１３ａ，１３ｂ）と前記支持ック（１２）に係合させるための開口手段（１４，１５）を備え、前記タブ状部材（１３ａ，１３ｂ）が、曲げられた場合に、オーバーラップする帯部分の厚さよりも充分に大きな高さを有し、前記タブ状部材（１３ａ，１３ｂ）がオーバーラップする内側帯部分上に外側帯部分を保持するために、オーバーラップする帯部分の外表面上に曲げられている、帯部相互間のリベット連結装置。【選択図】  図１
2006084033.tif 000002
【特許請求の範囲】
【請求項１】
オーバーラップする２つの帯部分のリベット連結装置において、
帯横方向に間隔をおいて設けられた、２個のタブ状部材（１３ａ，１３ｂ）を備え、このタブ状部材が締め付け帯の縦方向に延びる軸線周りにオーバーラップする内側帯部分から曲げ上げられ、
冷間変形され深絞りされた支持フック（１２）を備え、この支持フックがオーバーラップする内側帯部分から外側へ延び、
オーバーラップする帯部分が前記タブ状部材（１３ａ，１３ｂ）と前記支持フック（１２）に係合させるための開口手段（１４，１５）を備え、
前記タブ状部材（１３ａ，１３ｂ）が、曲げられた場合に、オーバーラップする帯部分の厚さよりも充分に大きな高さを有し、
前記タブ状部材（１３ａ，１３ｂ）がオーバーラップする内側帯部分上に外側帯部分を保持するために、オーバーラップする帯部分の外表面上に曲げられていることを特徴とする前記リベット連結装置。
【請求項２】
前記の２個のタブ状部材（１３ａ，１３ｂ）が支持フックよりも帯部分の自由端近くに間隔をおいて設けられ、開口手段が２個の長方形の開口の形をしていることを特徴とする請求項１に記載のリベット連結装置。
【請求項３】
前記の２個のタブ状部材（１３ａ，１３ｂ）が締め付け帯の縦方向中心軸線に関してほぼ対称に、前記オーバラップする帯部分から押抜き成形されていることを特徴とする請求項１又は２に記載のリベット連結装置。
【請求項４】
前記タブ状部材（１３ａ，１３ｂ）が反対方向に向いたほぼＵ字形の切込みによって形成され、その際タブ状部材（１３ａ，１３ｂ）の曲げ軸線が締帯部分の縦方向側部近くに配置され、帯部の全縦方向側部の方へ互いに反対方向に前記オーバーラップ帯部分上に曲げられていることを特徴とする請求項１に記載のリベット連結装置。
【発明の詳細な説明】
【技術分野】
【０００１】
本発明は、レバー型閉鎖機構を備えたクランプ構造体に使用されるリベット連結装置に関する。
【背景技術】
【０００２】
レバー型閉鎖機構を備えたクランプ構造体は公知である。例えばクランプ構造体の簡単なトグルリングは米国特許第２，４４０，２６０号明細書に示してある。ホースクランプのための他の種類のレバー操作型閉鎖機構はフランス国特許第１，１１６，７４３号明細書に示してある。販売上成功をおさめたレバー型ホースクランプは本出願人の米国特許第３，４７５，７９３号明細書に図示および記載されている。この特許の内容は参照することによりこの出願に組み込まれる。本出願人の米国特許のレバー型クランプ構造体では、突起またはしゅう曲の形をした引張りばね要素の使用され、このしゅう曲または突起はその下方に開口を形成している。この開口はその領域の漏れを避けるために別体の架橋要素によって架橋しなければならない。これは、架橋要素または連結要素の形をした別の部品を必要とするので、製作コストが増大し、この部品を手動で装着しなければならない。従って、このレバー型クランプ構造体の市販形式では経済的な理由により、このような引張りばねが省略されている。出願人の前のレバー型ホースクランプの時々生じる他の問題は、レバー型閉鎖機構が不意に開放されることにある。
【発明の開示】
【発明が解決しようとする課題】
【０００３】
そこで、本発明の主たる目的は、前記の欠点を簡単な手段によって除去し、レバー型閉鎖機構の不意の開放の危険を減らし、低コストで製作および組み立てることができ、例えば誤差補償と同時に漏れの危険を小さくするためにばね作用を有する、レバー型クランプ構造体に使用されるリベット連結装置を提供することである。
【課題を解決するための手段】
【０００４】
根本的な問題は本発明に従い、オーバーラップする２つの帯部分をリベット連結装置において、
帯横方向に間隔をおいて設けられた、２個のタブ状部材（１３ａ，１３ｂ）を備え、このタブ状部材が締め付け帯の縦方向に延びる軸線周りにオーバーラップする内側帯部分から曲げ上げられ、
冷間変形され深絞りされた支持フック（１２）を備え、この支持フックがオーバーラップする内側帯部分から外側へ延び、
オーバーラップする帯部分が前記タブ状部材（１３ａ，１３ｂ）と前記支持フック（１２）に係合させるための開口手段（１４，１５）を備え、
前記タブ状部材（１３ａ，１３ｂ）が、曲げられた場合に、オーバーラップする帯部分の厚さよりも充分に大きな高さを有し、
前記タブ状部材（１３ａ，１３ｂ）がオーバーラップする内側帯部分上に外側帯部分を保持するために、オーバーラップする帯部分の外表面上に曲げられていることを特徴とする前記リベット連結装置によって解決される。
【発明を実施するための最良の形態】
【０００５】
本発明のこれらのおよび他の目的、特徴および効果は、図に関連する次の記載から一層明らかになるであろう。図は図示のためにのみ、本発明による幾つかの実施の形態を示す。
【０００６】
図において、同じ参照番号は同じ部品を示す。図、特に図１〜６において、参照番号１０はタブ状部材を有するレバー型クランプ構造体全体を示している。このクランプ構造体は参照番号２０によって全体を示したレバー型閉鎖機構に連結された締め付け帯１１を備えている。本実施の形態では一体に製作された、すなわち、一つの部材からなる締め付け帯１１は、その端部分１１ａ′に、２個のタブ状部材１３ａ，１３ｂを備えている。このタブ状部材は反対方向に向いたほぼＵ字形の２つの切込みを入れ、締め付け帯縦方向に延びる軸線回りに曲げることによって製作され、従ってタブ状部材１３ａ，１３ｂは締め付け帯の中央領域で互いにほぼ平行に延びている。２個のタブ状部材１３ａ，１３ｂに続いて１個の支持フック１２が設けられている。この支持フックは冷間変形され、深絞りされている。支持フックは本出願人の米国特許第４，２９９，０１２号明細書に一層詳しく記載されているように、締め付け帯に多少横方向に延びる切込みを入れ、続いて係合面１２′を形成するために深絞りによって押し出すことによって製作可能である。帯端部分１１ａの自由端部から離れる方向に支持フック１２から離して、２個の開口１４，１５が設けられている。それによって、帯端部分１１ａ′が閉鎖機構２０の相対的に固定された部品のベース部分２１に形成された長穴２１′を通過した後、横ウェブ２７の回りに折り返され、そして再び長穴２１′を通って帯端区間１１ａの下側帯端部分１１ａ′を形成すると、支持フック１２が開口１４に係合し、２個のタブ状部材１３ａ，１３ｂが開口１５に係合する。締め付け帯１１の端区間１１ａは好ましくは閉鎖機構２０の相対的に動くレバー部分２５にしっかり固定されている。これは、図６に詳細に示すように、締め付け帯の平面内へ２個のタブ状部材１３ａ，１３ｂを外側へ曲げる打撃工具を使用することによって簡単に達成可能である。適切な形の打撃工具を使用することにより、１回の打撃でリベット連結部を非常に簡単に形成可能である。
【０００７】
他方の締め付け帯端区間１１ｂは予め定めた数の波形部１７を備えている。締め付け帯端区間１１ｂを、閉鎖機構２０の相対的に固定された部品のベース部分２１に設けられた長穴２１″に通し、そして図１に示すように折り返して下側に位置する帯端部分１１ｂ′を形成した後で、この波形部は残りの帯端部分１１ｂ′によって下側から被覆される。
【０００８】
閉鎖機構２０の相対的に固定された部品は、２つの長穴２１′，２１″を備えたベース部分２１に加えて、２個の側方部分２２ａ，２２ｂを備えている。この側方部分はベース部分２１と一体であり、ベース部分２１に対してほぼ直角に延びている。閉鎖機構２０の相対的に固定されたフレーム部分２１，２２ａ，２２ｂは適当な厚さの金属薄板から作られ、その側方部分２２ａ，２２ｂは、参照番号２５によって全体を示すレバー部材の回転運動を行うのに充分な距離だけ互いに離れている。このレバー部材自体はその内側端部が開放している細長いＵ字状の開口２８を備えている。この開口は開放端部からその長さの約１／２から約２／３のところで、横ウェブ２７によって中断されている。この横ウェブは開口２８を形成する脚部分２５ａ，２５ｂと一体である。トグル型のレバー部材２５の下端領域は脚部分２５ａ，２５ｂに沿って互いに反対に外側へ向いたピン状枢着部材２６ａ，２６ｂを備えている。この枢着部材は側方部分２２ａ，２２ｂに設けられた対応して配置された枢着穴２９ａ，２９ｂに係合している。
【０００９】
閉鎖機構が図１に示す閉鎖位置から不意に開放する危険を小さくするために、互いに向き合い内側へ向いた２個の突起２４ａ，２４ｂが、側方部分２２ａ，２２ｂの内側に設けられている。図１において右側の角領域、すなわちレバー２５がほぼ１１時位置にある開放位置から、図１に示す閉鎖または締め付け位置へ移動するときにレバー部材が横切る角領域内に、突起を配置することは或る程度重要である。なぜなら、この配置の場合、側方部分２２ａ，２２ｂが大きな可撓性を有するので、突起２４ａ，２４ｂを長く形成することができ、更に、これらの突起がベース部分２１から離れるからである。
【００１０】
レバー部材２５は充分な大きさの曲率半径を有する湾曲した部分２５′からなっているので、波形部１７によって妨害されることなくその締め付け位置へ自由に動くことができ、真っ直ぐな端部分２５″で終わっている。この端部分は、レバー部材２５が締め付け位置にあるときに、閉鎖機構の再開放を容易にするために外側へ延びている。それによって、図１に示すような締め付け位置において、湾曲部分２５′から真っ直ぐな部分２５″に移行する領域内のレバー部材２５の下面が、締め付け帯端部分１１ｂの外面にかろうじて接触するように、レバー部分２５′，２５″は形成および配置されている。従って、細長いＵ字形の開口２８を形成する脚部分２５ａ，２５ｂは、締め付け帯１１が開口を通過できるような間隔をおいて互いに離れている。閉鎖機構は、その他の点については、本出願人の前記の米国特許に詳しく記載されている構造をしており、従ってこれ以上説明しない。
【００１１】
図１〜６の実施の形態において、締め付け帯１１は一つの部材で作られ、特別な用途の要求に合うように選択可能である。厚くて強い締め付け帯材料を選択する場合には、この実施の形態のクランプ構造体は特に、高荷重に耐えられる用途に適している。この実施の形態に適した締め付け帯の代表的な例は次の通りである。しかし、本発明はこの例に限定されるものではなく、所定用途の特別な要求を満たすために変更可能である。理論的な締め付け範囲が約77.5〜81.5ｍｍのクランプ構造体に関しては、締め付け帯は幅が１０ｍｍで厚さが0.5 ｍｍの亜鉛メッキ鋼で作られる。締め付け帯の全長は332.2 ｍｍであり、締め付け帯の縦方向におけるタブ状部材１３ａ，１３ｂの長さは３ｍｍであり、間隔ａは８ｍｍである。縦方向における冷間変形された支持フック１２の長さは2.8 ｍｍであり、間隔ｂは13.3ｍｍである。一方、開口１４，１５の幅は3.5 ｍｍで長さは3.3 ｍｍである。間隔ｃは74.5ｍｍで、間隔ｄは5.5 ｍｍである。締め付け帯の底面から支持フックの上面までの支持フック１２の最大高さは、1.8 ｍｍであり、締め付け帯の底面から曲がったタブ状部材の頂部までのタブ状部材１３ａ，１３ｂの高さは約2.4 ｍｍである。支持フックの幅は約3.3 ｍｍであり、タブ状部材の互いに向き合った面は1.8 ｍｍだけ離れている。３つの波形部１７は約14.1ｍｍの長さにわたって延び、締め付け帯の上面から波形部の最下方底面までの締め付け帯の面から一方向への最大深さはたったの約2.85ｍｍである。波形部の始端は締め付け帯の対応する端部から約41.9ｍｍ離れている（間隔ｅ）。組み立てを容易にするために、閉鎖機構２０に装着される締め付け帯を予め曲げておくことが望ましい。
【００１２】
図５，６に示したリベット状連結部は、本出願人の米国特許第３，２８６，３１４号明細書に開示されているリベット止め連結部に関する幾つかの利点を有する。一方では、タブ状部材１３ａ，１３ｂの領域内で締め付け帯に対称的な応力分配を生じ、タブ状部材の両側に等しい量の締め付け帯材料が残り、予め定めた量の締め付け帯材料が２個のタブ状部材１３ａ，１３ｂの間の締め付け帯の中央領域に残る。これは、本出願人の米国特許第３，２８６，３１４号明細書の非対称配置と異なっている。この米国特許では、タブ状部材とこのタブ状部材を収容する長穴は、締め付け帯の片側に配置されている。更に、冷間変形された支持フック１２は締め付け帯縦方向に発生する大きな引張り力の受け止めを助ける。それによって、タブ状部材だけでなく下側の帯部分のリベット変形を行うために、米国特許第３，２８６，３１４号明細書で要求される大きな打撃力が不要になる。他方では、図５，６に示した連結部の保持能力がきわめて大きい。なぜなら、締め付け帯の引張り力が、支持フック１２の受け止め能力と関連して、対称配置された２個のタブ状部材１３ａ，１３ｂによって受け止められるからである。この支持フック１２は引き裂きの結果予想される締め付け帯の故障を最小限に抑える。本出願人の米国特許第４，６２２，７２０号明細書は冷間変形された２個の支持フックを使用した連結部を開示している。この支持フックは、傾斜した案内面のために設けられた支持フックとタブ状ガイドの組み合わせによって、オーバーラップする２個の帯部分が相互の方へ移動した後で、作用する。オーバーラップする帯部分が移動して互いに近接し、支持フックが作用すると、締め付け帯の引張り力が、補助機能を有する組み合わせられたガイドおよび支持フックを備えた支持フックによって受け止められる。しかしながら、本願の図５による配置構造では、２個のタブ状部材１３ａ，１３ｂが、締め付け帯の引張り力を受け止める機能をいつでも有する。それによって更に、曲げられたタブ状部材は支持フック１２の係合面と開口１４の対応するエッジとの即時協働を生じる。なぜなら、タブ状部材が曲げられると、外側締め付け帯部分が内側帯部分上に保持されるからである。従って、図５に示す連結部は、オーバーラップする帯部分のこのような予備組み立てが所望される場合、例えば本出願人の米国特許第４，５２１，９４０号明細書に開示された種類のねじ型クランプにおいて、普遍的に適用可能である。
【図面の簡単な説明】
【００１３】
【図１】本発明によるタブ状部材を有するレバー型クランプ構造体の第１の実施の形態を軸方向に見た概略図である。
【図２】図１のタブ状部材を有するクランプ構造体で使用される締め付け帯の平面図である。
【図３】図２のタブ状部材を備えた締め付け帯の側面図である。
【図４】図１の４−４線に沿った、閉鎖位置にあるレバー型閉鎖機構の部分平面図である。
【図５】本発明による締め付け帯端区間によって形成されたリベット状連結部の部分平面図である。
【図６】図６の６−６線に沿った部分横断面図である。
【符号の説明】
【００１４】
１１                          締め付け帯
１１′                        梯子型締め付け帯
１１ｂ                        端区間
１７                          波形部
２１                          ベース部分
２１′，２１″                長穴
２２ａ，２２ｂ                側壁部分
２５                          レバー部品
２５ａ                        脚部分
２６ａ，２６ｂ                枢着部材
２７                          横ウェブ
２８                          開口
２９ａ，２９ｂ                枢着開口
【図１】
2006084033.tif 000003
【図２】
2006084033.tif 000004
【図３】
2006084033.tif 000005
【図４】
2006084033.tif 000006
【図５】
2006084033.tif 000007
【図６】
2006084033.tif 000008